(57)【要約】【課題】長期間の連続点灯でも点灯回路の発熱による劣化を防止できるＬＥＤランプ１０，２０，３０を提供すること。【解決手段】、放熱体１１の空気孔１１ｄ又は口金１５の１５ａを通して放熱体１１及び口金１５の内部の加熱された空気が放熱体１１及び口金１５の外部へ排気する。空気孔１１ｄ，１５ａの排気作用による放熱効果と、放熱体１１の伝熱作用による放熱効果とが相俟って、放熱体１１及び口金１５の内部に配置されている点灯回路１６が冷却でき、ＬＥＤランプ１０を長期間、連続点灯しても熱による点灯回路１６の劣化を防止できる。【選択図】図１
2013157488.tif 000002
【特許請求の範囲】
【請求項１】
ＬＥＤチップを実装したモジュール基板を放熱体の一端に固定し、放熱体の他端側に口金を取り付け、ＬＥＤチップに電力を供給する点灯回路を放熱体及び／又は口金の内部に配置し、点灯回路と口金を電気的に接続したＬＥＤランプであって、
放熱体に、放熱体の内外を連通する空気孔を形成したことを特徴とするＬＥＤランプ。
【請求項２】
ＬＥＤチップを実装したモジュール基板を放熱体の一端に固定し、放熱体の他端側に口金を取り付け、ＬＥＤチップに電力を供給する点灯回路を放熱体及び／又は口金の内部に配置し、点灯回路と口金を電気的に接続したＬＥＤランプであって、
口金に、口金の内外を連通する空気孔を形成したことを特徴とするＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属性放熱体の一端に固定し、モジュール基板を覆うように透明又は半透明のグローブを放熱体に取付け、放熱体の他端側に口金を取り付け、ＬＥＤチップに電力を供給する点灯回路を放熱体に内蔵し、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
ＬＥＤチップを光源とするＬＥＤランプでは、点灯時に発生する熱が放熱体を伝って外部に発散され、放熱体内部の点灯回路の熱による劣化を防止している。しかし、長期間、連続点灯した場合、放熱体の伝熱作用による放熱だけでは冷却効果が不十分であり、放熱体内部に配置されている点灯回路が発熱により劣化するおそれがある。
【０００５】
本発明はかかる問題点に鑑み、長期間の連続点灯でも点灯回路の発熱による劣化を防止できるＬＥＤランプを提供することを目的とする。
【課題を解決するための手段】
【０００６】
請求項１に記載の発明は、ＬＥＤチップを実装したモジュール基板を放熱体の一端に固定し、放熱体の他端側に口金を取り付け、ＬＥＤチップに電力を供給する点灯回路を放熱体及び／又は口金の内部に配置し、点灯回路と口金を電気的に接続したＬＥＤランプであって、
放熱体に、放熱体の内外を連通する空気孔を形成したことを特徴とする。
【０００７】
請求項２に記載の発明は、ＬＥＤチップを実装したモジュール基板を放熱体の一端に固定し、放熱体の他端側に口金を取り付け、ＬＥＤチップに電力を供給する点灯回路を放熱体及び／又は口金の内部に配置し、点灯回路と口金を電気的に接続したＬＥＤランプであって、
口金に、口金の内外を連通する空気孔を形成したことを特徴とする。
【発明の効果】
【０００８】
請求項１に記載の発明によれば、空気孔を通して放熱体内部の加熱された空気が放熱体外部へ排気される。このため、空気孔の排気作用による放熱効果と、放熱体の伝熱作用による放熱効果とが相俟って、放熱体及び／又は口金の内部に配置されている点灯回路が冷却されるので、ＬＥＤランプを長期間、連続点灯しても熱による点灯回路の劣化を防止できる。
【０００９】
請求項２に記載の発明によれば、空気孔を通して口金内部の加熱された空気が口金外部へ排気される。このため、空気孔の排気作用による放熱効果と、放熱体の伝熱作用による放熱効果とが相俟って、放熱体及び／又は口金の内部に配置されている点灯回路が冷却されるので、ＬＥＤランプを長期間、連続点灯しても熱による点灯回路の劣化を防止できる。
【図面の簡単な説明】
【００１０】
【図１】本発明の第１実施例に係るＬＥＤランプを示す断面図である。
【図２】本発明の第２実施例に係るＬＥＤランプを示す断面図である。
【図３】本発明の第３実施例に係るＬＥＤランプを示す断面図である。
【実施例１】
【００１１】
以下に本発明を図面に基づき説明するに、図１には本発明の第１実施例に係るＬＥＤランプ１０が示されている。当該ＬＥＤランプ１０はアルミニウム製の放熱体１１、ＬＥＤチップ１２を実装したモジュール基板１３、半透明のガラス製または樹脂製のドーム形グローブ１４、口金１５、ＬＥＤチップ１２に電力を供給する点灯回路１６及び導光部材１７を備えている。
【００１２】
放熱体１１は逆円錐台形の外観を有し、外周部には表面積を増加して放熱効果を高めるため多数のフィン１１ａが形成されている。放熱体１１の上端面１１ｂには、モジュール基板１３が固定されている。放熱体１１の下端の開口端面に口金１５が装着され、放熱体１１の内部空間と口金１５の内部空間が連通している。そして、放熱体１１及び口金１５の内部空間に点灯回路１６が配置され、モジュール基板１３と点灯回路１６がリード線１８で接続されて、点灯回路１６と口金１５がリード線１９で電気的に接続されている。
【００１３】
放熱体１１の上端面１１ｂにはモジュール基板１３を取り囲むようにリング溝１１ｃが形成されている。このリング溝１１ｃにグローブ１４の下端開口端部が嵌合し、接着剤によって放熱体１１に固着されている。このグローブ１４はモジュール基板１３を覆うように放熱体１１に取り付けられている。
【００１４】
放熱体１１の上端部１１ｂに固定したモジュール基板１５には柱状の導光部材１７が立設され固定されている。導光部材１７はプラスチック成形品で先端部に反射部１７ａを有し、反射部１７の内面に四角錐の形状を有する反射面１７ｂが形成されている。一方、導光部材１７の基端部には凹部１７ｃが形成され、この凹部１７ｃをＬＥＤチップ１２に被せるようにして導光部材１７がモジュール基板１３に取付けられている。凹部１７ｃに対向配置したＬＥＤチップ１２が発する光は凹部１７ｃから導光部材１７中に入射し、反射面１７ｂで反射されて、反射部１７ａの周囲に拡散する。
【００１５】
放熱体１１の上部には放熱体の内外を連通する１個の空気孔１１ｄが形成されている。また、口金１５の底部には口金の内外を連通する１個の空気孔１５ａが形成されている。
【００１６】
第１実施例に係るＬＥＤランプ１０の構造は以上の通りであって、空気孔１１ｄ，１５ａを通して放熱体１１及び口金１５の内部の加熱された空気が放熱体１１及び口金１５の外部へ排気される。このため、これら空気孔１１ｄ，１５ａの排気作用による放熱効果と、放熱体１１の伝熱作用による放熱効果とが相俟って、放熱体１１及び口金１５の内部に配置されている点灯回路１６が冷却されるので、ＬＥＤランプ１０を長期間、連続点灯しても熱による点灯回路１６の劣化を防止できる。
【実施例２】
【００１７】
本発明の第２実施例に係るＬＥＤランプ２０を図２に示す。当該ＬＥＤランプ２０の口金１５の底部には左右一対の空気孔１５ａ，１５ｂが形成されている。
なお、第２実施例に係るＬＥＤランプ２０の他の構造は第１実施例に係るＬＥＤランプ１０と同じであるので、同一の構成要素に同一の符号を付して説明を省略する。
【００１８】
本実施例に係るＬＥＤランプ２０では、空気孔１５ａ，１５ｂを通して放熱体１１及び口金１５内部の加熱された空気が排気され、また外気を放熱体１１及び口金１５の内部に導入できる。
しかして、本実施例に係るＬＥＤランプ２０は口金１５だけに空気孔１５ａ，１５ｂを形成するので、加工コストを低減できる。
【実施例３】
【００１９】
本発明の第３実施例に係るＬＥＤランプ３０を図３に示す。当該ＬＥＤランプ３０の口金１５には、底部に１個の空気孔１５ａが形成されている。また、口金１５における放熱体１１との接続端部１５ｃに１個の空気孔１５ｄが形成されている。
【００２０】
第３実施例に係るＬＥＤランプでは、口金１５だけに空気孔１５ａ，１５ｄを形成しているものの、そのうち１個の空気孔１５ｄを口金１５における放熱体１１との接続端部１５ｃに形成したので、放熱体１１内部の加熱された空気を効果的に排気できる。
【符号の説明】
【００２１】
１０，２０，３０…ＬＥＤランプ
１１…放熱体
１１ｄ…空気孔
１２…ＬＥＤチップ
１３…モジュール基板
１４…グローブ
１５…口金
１５ａ，１５ｂ，１５ｄ…空気孔
１６…点灯回路
１７…導光部材
１８，１９…リード線
【図１】
2013157488.tif 000003
【図２】
2013157488.tif 000004
【図３】
2013157488.tif 000005